(57)【要約】【課題】事前にわかっているような異常な電圧値は計測しないようにする電圧計測装置及び電圧計測方法を得る。【解決手段】電力系統１からの高電圧を超える交流電圧を、電鉄用変電所２を介して降圧し、架線４に供給する給電システムにおいて、電力系統１の電圧値を求める電圧検出部２７１と、電圧検出部２７１で求めた電圧値を任意の時間分格納する直前計測データ格納部２７２と、電圧検出部２７１で求めた電圧値が、しきい値を超えているかどうかを判定するしきい値判定部２７４と、しきい値判定部２７４がしきい値を超えていることを判定したとき、それが所定時間経過しているかどうかを検出する経過時間検出部２７５と、直前計測データ格納部２７２と、経過時間検出部２７５とから、電圧の最大値／最小値を検出する最小電圧／最大電圧検出部２７３とを備えたものである。【選択図】  図１
2010058733.tif 000002
【特許請求の範囲】
【請求項１】
電力系統からの高電圧を超える交流電圧を、電鉄用変電所を介して降圧し、架線に供給する給電システムにおいて、
前記電力系統の現在の電圧値を求め、これを一時的に保存する電圧検出手段と、
前記電圧検出手段で求めた電圧値が、しきい値を超えているかどうかを判定するしきい値判定手段と、
前記しきい値判定手段がしきい値を超えていることを判定したときであって、前記しきい値を超えている時間が所定時間経過しているかどうかを検出する経過時間検出手段と、
前記電圧検出手段で一時的に保存した電圧値を任意の時間分格納する直前計測データ格納手段と、
前記直前計測データ格納手段で格納された電圧値が現在までの最大値又は最小値かどうかが判定される最小電圧／最大電圧検出手段と、
前記最小電圧／最大電圧検出手段において現在までの最小電圧又は最大電圧と判定された場合には、この電圧値を最小電圧又は最大電圧として出力し、また前記最小電圧／最大電圧検出手段において現在までの最小電圧又は最大電圧と判定されない場合には前記電圧検出手段で検出された電圧値を、前記直前計測データ格納手段に更新する手段と、
を備えたことを特徴とする電圧計測装置。
【請求項２】
電力系統からの高電圧を超える交流電圧を、電鉄用変電所を介して降圧し、架線に供給する給電システムにおいて、
前記電力系統の現在の電圧値を求め、これを一時的に保存する電圧検出手段と、
前記電圧検出手段で求めた電圧値を任意の時間分格納する直前計測データ格納手段と、
前記電圧検出手段で求めた電圧値が、第１のしきい値を超えているかどうかを判定する第１のしきい値判定手段と、
前記電圧検出手段で求めた電圧値が、第１のしきい値を超え、かつ警報を出す第２のしきい値を超えているかどうかを判定する第２のしきい値判定手段と、
前記第１のしきい値判定手段が第１のしきい値が超えていることを判定したとき、または前記第２のしきい値判定手段が第２のしきい値が超えていることを判定したときであって、前記各しきい値を超えている時間が所定時間経過しているかどうかを検出する経過時間検出手段と、
前記電圧検出手段で一時的に保存した電圧値を任意の時間分格納する直前計測データ格納手段と、
前記直前計測データ格納手段で格納された電圧値が現在までの最大値又は最小値かどうかが判定される最小電圧／最大電圧検出手段と、
前記最小電圧／最大電圧検出手段において現在までの最小電圧又は最大電圧と判定された場合には、この電圧値を最小電圧又は最大電圧として出力し、また前記最小電圧／最大電圧検出手段において現在までの最小電圧又は最大電圧と判定されない場合には前記電圧検出手段で検出された電圧値に更新する手段と、
前記最小電圧／最大電圧検出手段で検出した電圧の最大値／最小値が第２のしきい値を超えているかどうかを判定し、第２のしきい値を超えている場合に警報を出す警報出力手段と、
を備えたことを特徴とする電圧計測装置。
【請求項３】
電力系統からの高電圧を超える交流電圧を、電鉄用変電所を介して降圧し、架線に供給する給電システムにおいて、
前記電力系統の現在の電圧値を求め、これを一時的に保存する電圧検出工程と、
前記電圧検出手段で求めた電圧値が、しきい値を超えているかどうかを判定するしきい値判定工程と、
前記しきい値判定工程がしきい値を超えていることを判定したときであって、前記しきい値を超えている時間が所定時間経過しているかどうかを検出する経過時間検出工程と、
前記電圧検出工程で一時的に保存した電圧値を任意の時間分格納する直前計測データ格納工程と、
前記直前計測データ格納工程で格納された電圧値が現在までの最大値又は最小値かどうかが判定される最小電圧／最大電圧検出工程と、
前記最小電圧／最大電圧検出工程において現在までの最小電圧又は最大電圧と判定された場合には、この電圧値を最小電圧又は最大電圧として出力し、また前記最小電圧／最大電圧検出手段において現在までの最小電圧又は最大電圧と判定されない場合には前記電圧検出手段で検出された電圧値を、前記直前計測データ格納手段に更新する工程と、
を備えたことを特徴とする電圧計測方法。
【請求項４】
電力系統からの高電圧を超える交流電圧を、電鉄用変電所を介して降圧し、架線に供給する給電システムにおいて、
前記電力系統の現在の電圧値を求め、これを一時的に保存する電圧検出工程と、
前記電圧検出工程で求めた電圧値を任意の時間分格納する直前計測データ格納工程と、
前記電圧検出工程で求めた電圧値が、第１のしきい値を超えているかどうかを判定する第１のしきい値判定工程と、
前記電圧検出工程で求めた電圧値が、第１のしきい値を超え、かつ警報を出す第２のしきい値を超えているかどうかを判定する第２のしきい値判定工程と、
前記第１のしきい値判定工程が第１のしきい値が超えていることを判定したとき、または前記第２のしきい値判定工程が第２のしきい値が超えていることを判定したときであって、前記各しきい値を超えている時間が所定時間経過しているかどうかを検出する経過時間検出工程と、
前記電圧検出工程で一時的に保存した電圧値を任意の時間分格納する直前計測データ格納工程と、
前記直前計測データ格納工程で格納された電圧値が現在までの最大値又は最小値かどうかが判定される最小電圧／最大電圧検出工程と、
前記最小電圧／最大電圧検出工程において現在までの最小電圧又は最大電圧と判定された場合には、この電圧値を最小電圧又は最大電圧として出力し、また前記最小電圧／最大電圧検出工程において現在までの最小電圧又は最大電圧と判定されない場合には前記電圧検出工程で検出された電圧値に更新する工程と、
前記最小電圧／最大電圧検出工程で検出した電圧の最大値／最小値が第２のしきい値を超えているかどうかを判定し、第２のしきい値を超えている場合に警報を出す警報出力工程と、
を備えたことを特徴とする電圧計測方法。
【発明の詳細な説明】
【技術分野】
【０００１】
本発明は、電鉄用変電所の入力側又は出力側の電圧を長期的に計測して前記変電所の電圧の過不足を監視可能な電圧計測装置及びで電圧計測方法に関する。
【背景技術】
【０００２】
一般に送電系統と電車の架線との間に、電鉄用変電所が設置されている。この電鉄用変電所は、送電系統の系統電圧を入力し、交流電圧を電車の運転に都合のよい電圧に降圧するものである。このため、電鉄用変電所内には、降圧変圧器と、降圧変圧器の一次側（入力側）及び二次側（出力側）にそれぞれ一次側遮断器及び二次側遮断器が配設されている。
【０００３】
従来、この電鉄用変電所の電力系統における電圧計測装置として、電力系統の電圧を数値データに変換する電圧検出手段と、外部からのトリガー例えば一次側遮断器及び二次側遮断器の入、切のトリガーがあった時のみ、外乱による計測を抑止する抑止信号検出手段と、該電圧検出手段と該抑止信号検出手段とから、最小電圧／最大電圧を検出する最大／最小電圧検出手段とから構成され、抑止信号がこないような状況では、不要な電圧値を計測するようになっている。
【０００４】
このように従来の電圧計測装置は、遮断器の入切を利用し、最低電圧を計測しない様にするものであるが、遮断器の入切信号が無いときに、変圧器の突入電流が流れたとき、三相不平衡となったときの電圧の異常電圧を誤計測したり、電車の異常運転に伴う異常電圧を計測してしまうことがあった。異常電圧の計測は、例えば事故のとき、本来電車がノッチオフで入ってくるべきものがノッチオンで入ってくることがあり、このとき電圧が急激に下がることがある。このようなとき、最低電圧として検出してしまうことがあり、電圧計測装置としては本来測定すべき最低電圧以外の電圧を検出してしまうことを避けられるものが望まれている。
【０００５】
本来測定すべき最低電圧は、次の点で測定する必要がある。すなわち、電車は電圧が高い場合には動けるが、電圧が低くなると電車の駆動装置の中に入っている制御機器類が動けなくなる。特に、変電所間に電車が幾つかあると、電車の台数に応じて電圧降下が生じる。この電圧降下によって、電車が動けなくなる。このようなことをなくすため、配電系統の最低電圧を測定している。
【０００６】
なお、特許文献１には、信号の安定した時点ｔ２での入力信号をＶｈ１として第１アナログメモリに保持する。その後の期間の信号Ｖｈ１と比較し、差分がしきい値以下であるとＶｈ１が第２アナログメモリに保持される。この場合、差分がしきい値以上であると第２アナログメモリは更新されず、雑音が無視される。続いて、シーケンス制御器がリセット再トリガを行い、再測定がなされる。
【０００７】
特許文献２には、第２の波高弁別器は、波高が弁別電圧を越し、波高が復帰電圧に戻ると、その間パルスを出力する。遅延回路とタイマー回路により設定した時間に達したら、一定のパルス幅を出力し、ＡＮＤ回路により信号パルスか雑音パルスかを弁別する。
【０００８】
特許文献３には、交流電圧の半周期に対して交流電圧の最大値を検出及び記録する。入力電圧は、比較的低い電圧Ｖｒを受け取るコンパレータに加えられる。コンパレータは、この電圧を越えると最大値検出回路を有効化する信号を出力する。回路ＤＭ１は交流信号をサンプリングし、振幅が減少し始めるサンプルをその出力に維持する。
【０００９】
特許文献４には、省エネルギを実現するための鉄道システムの例として、電鉄用変電所が出力に所定の上限値を設け、出力監視手段により常時出力を監視すると共に、該変電所出力が上限値を超える場合は制御指令手段が出力制御手段、列車群、運行管理システムのいずれか、またはこれらの幾つかに制御指令信号を送信し、これを受信したものが出力制御あるいは推進力制御若しくはこの双方の制御を行うことにより、該変電所の出力を所定値以下に制限するものが記載されている。特許文献４によれば、電鉄用変電所の一時的な出力ピークを抑えることが可能となり、設備容量を小さくすることが可能となると記載されている。
【特許文献１】特開平７−１９１０６４
【特許文献２】特開２０００−７４９６８
【特許文献３】特表平４−５００１２３
【特許文献４】特開平５−２４５３９
【発明の開示】
【発明が解決しようとする課題】
【００１０】
以上述べた従来の電圧計測装置は、遮断器の入切のトリガー信号を必要とし、電圧の立下りのとき、電圧計測の抑止をかけるのが困難であった。
【００１１】
本発明は上記の課題を解決するもので、事前にわかっているような異常な電圧値は計測しないようにする電圧計測装置及び電圧計測方法を提供することを目的とする。
【課題を解決するための手段】
【００１２】
前記目的を達成するため、請求項１に対応する発明は、電力系統からの高電圧を超える交流電圧を、電鉄用変電所を介して降圧し、架線に供給する給電システムにおいて、前記電力系統の現在の電圧値を求め、これを一時的に保存する電圧検出手段と、前記電圧検出手段で求めた電圧値が、しきい値を超えているかどうかを判定するしきい値判定手段と、前記しきい値判定手段がしきい値を超えていることを判定したときであって、前記しきい値を超えている時間が所定時間経過しているかどうかを検出する経過時間検出手段と、前記電圧検出手段で一時的に保存した電圧値を任意の時間分格納する直前計測データ格納手段と、前記直前計測データ格納手段で格納された電圧値が現在までの最大値又は最小値かどうかが判定される最小電圧／最大電圧検出手段と、前記最小電圧／最大電圧検出手段において現在までの最小電圧又は最大電圧と判定された場合には、この電圧値を最小電圧又は最大電圧として出力し、また前記最小電圧／最大電圧検出手段において現在までの最小電圧又は最大電圧と判定されない場合には前記電圧検出手段で検出された電圧値を、前記直前計測データ格納手段に更新する手段とを備えた電圧計測装置である。
【００１３】
前記目的を達成するため、請求項２に対応する発明は、電力系統からの高電圧を超える交流電圧を、電鉄用変電所を介して降圧し、架線に供給する給電システムにおいて、前記電力系統の現在の電圧値を求め、これを一時的に保存する電圧検出手段と、前記電圧検出手段で求めた電圧値を任意の時間分格納する直前計測データ格納手段と、前記電圧検出手段で求めた電圧値が、第１のしきい値を超えているかどうかを判定する第１のしきい値判定手段と、前記電圧検出手段で求めた電圧値が、第１のしきい値を超え、かつ警報を出す第２のしきい値を超えているかどうかを判定する第２のしきい値判定手段と、前記第１のしきい値判定手段が第１のしきい値が超えていることを判定したとき、または前記第２のしきい値判定手段が第２のしきい値が超えていることを判定したときであって、前記各しきい値を超えている時間が所定時間経過しているかどうかを検出する経過時間検出手段と、
前記電圧検出手段で一時的に保存した電圧値を任意の時間分格納する直前計測データ格納手段と、前記直前計測データ格納手段で格納された電圧値が現在までの最大値又は最小値かどうかが判定される最小電圧／最大電圧検出手段と、前記最小電圧／最大電圧検出手段において現在までの最小電圧又は最大電圧と判定された場合には、この電圧値を最小電圧又は最大電圧として出力し、また前記最小電圧／最大電圧検出手段において現在までの最小電圧又は最大電圧と判定されない場合には前記電圧検出手段で検出された電圧値に更新する手段と、前記最小電圧／最大電圧検出手段で検出した電圧の最大値／最小値が第２のしきい値を超えているかどうかを判定し、第２のしきい値を超えている場合に警報を出す警報出力手段とを備えた電圧計測装置である。
【００１４】
前記目的を達成するため、請求項３に対応する発明は、電力系統からの高電圧を超える交流電圧を、電鉄用変電所を介して降圧し、架線に供給する給電システムにおいて、前記電力系統の現在の電圧値を求め、これを一時的に保存する電圧検出工程と、前記電圧検出手段で求めた電圧値が、しきい値を超えているかどうかを判定するしきい値判定工程と、前記しきい値判定工程がしきい値を超えていることを判定したときであって、前記しきい値を超えている時間が所定時間経過しているかどうかを検出する経過時間検出工程と、前記電圧検出工程で一時的に保存した電圧値を任意の時間分格納する直前計測データ格納工程と、前記直前計測データ格納工程で格納された電圧値が現在までの最大値又は最小値かどうかが判定される最小電圧／最大電圧検出工程と、前記最小電圧／最大電圧検出工程において現在までの最小電圧又は最大電圧と判定された場合には、この電圧値を最小電圧又は最大電圧として出力し、また前記最小電圧／最大電圧検出手段において現在までの最小電圧又は最大電圧と判定されない場合には前記電圧検出手段で検出された電圧値を、前記直前計測データ格納手段に更新する工程とを備えた電圧計測方法である。
【００１５】
前記目的を達成するため、請求項４に対応する発明は、電力系統からの高電圧を超える交流電圧を、電鉄用変電所を介して降圧し、架線に供給する給電システムにおいて、前記電力系統の現在の電圧値を求め、これを一時的に保存する電圧検出工程と、前記電圧検出工程で求めた電圧値を任意の時間分格納する直前計測データ格納工程と、前記電圧検出工程で求めた電圧値が、第１のしきい値を超えているかどうかを判定する第１のしきい値判定工程と、前記電圧検出工程で求めた電圧値が、第１のしきい値を超え、かつ警報を出す第２のしきい値を超えているかどうかを判定する第２のしきい値判定工程と、前記第１のしきい値判定工程が第１のしきい値が超えていることを判定したとき、または前記第２のしきい値判定工程が第２のしきい値が超えていることを判定したときであって、前記各しきい値を超えている時間が所定時間経過しているかどうかを検出する経過時間検出工程と、
前記電圧検出工程で一時的に保存した電圧値を任意の時間分格納する直前計測データ格納工程と、前記直前計測データ格納工程で格納された電圧値が現在までの最大値又は最小値かどうかが判定される最小電圧／最大電圧検出工程と、前記最小電圧／最大電圧検出工程において現在までの最小電圧又は最大電圧と判定された場合には、この電圧値を最小電圧又は最大電圧として出力し、また前記最小電圧／最大電圧検出工程において現在までの最小電圧又は最大電圧と判定されない場合には前記電圧検出工程で検出された電圧値に更新する工程と、前記最小電圧／最大電圧検出工程で検出した電圧の最大値／最小値が第２のしきい値を超えているかどうかを判定し、第２のしきい値を超えている場合に警報を出す警報出力工程とを備えた電圧計測方法である。
【発明の効果】
【００１６】
本発明によれば、電圧の立ち上がりや立下りの時に、系統の機器を操作することによっておこる、電圧の上下に左右されることなく、系統の最小／最大電圧を計測することができる電圧計測装置及び電圧計測方法を提供できる。
【発明を実施するための最良の形態】
【００１７】
以下、本発明の実施形態について図面を参照して説明する。図１は、本発明が適用される電鉄用変電所を説明するための図である。電鉄用変電所２は、送電系統１と電車３の架線４との間に、設置されている。この電鉄用変電所２は、概略送電系統１の系統電圧を入力し、交流電圧を電車の運転に都合のよい電圧に降圧するものである。このため、電鉄用変電所内には、降圧変圧器２１と、降圧変圧器２１の一次側（入力側）及び二次側（出力側）にそれぞれ一次側遮断器２２及び二次側遮断器２３が配設されている。そして、変圧器２１の一次側及び二次側の電圧を測定するための計器用変圧器２４、２５、２６と、変圧器２１の一次側及び二次側の電流を測定するための計器用変流器２８、２９、３０を備えている。さらに、本発明の電圧計測装置２７、２０を備えている。
【００１８】
図２は、図１の電圧計測装置２７、２０のうち、２７を説明するためのブロック図であり、２０も２７と同一構成であるので、ここでは２７についてのみ説明する。すなわち、
電力系統１からの高電圧を超える交流電圧を、電鉄用変電所２を介して降圧し、架線４に供給する給電システムにおいて、電力系統１の電圧値を求め、これを一時的に保存する電圧検出手段例えば電圧検出部２７１と、電圧検出部２７１で一時的に保存した電圧値を任意の時間分格納する直前計測データ格納手段例えば直前計測データ格納部２７２と、直前計測データ格納部２７２で格納された電圧値が現在までの最大値又は最小値かどうかが判定される最小電圧／最大電圧検出手段例えば最小電圧／最大電圧検出部２７３と、最小電圧／最大電圧検出部２７３において現在までの最小電圧又は最大電圧と判定された場合には、この電圧値を最小電圧又は最大電圧として出力し、また最小電圧／最大電圧検出部２７３において現在までの最小電圧又は最大電圧と判定されない場合には電圧検出部２７１で検出された電圧値を、直前計測データ格納部２７２に更新する手段とを備えたものである。
図３は、前述のしきい値及び所定時間（任意の時間）を説明するための図である。しきい値は、例えば定格電圧の１０％であり、所定時間は過渡現象を除外する時間であり、このうちｔ１は例えば平均最大でも５秒であり、ｔ２は例えば平均最大でも２秒である。図３において、最大／最小計測範囲は、過渡現象を除外した本発明の計測すべき範囲を示している。
【００１９】
図４は、図２の動作を説明するためのフローチャートであり、電力系統からの高電圧を超える交流電圧を、電鉄用変電所を介して降圧し、架線に供給する給電システムにおいて、
系統電圧の検出しこの検出値が、しきい値を越え、かつ所定時間経過またはさかのぼることで、検出電圧の最小／最大値を計測する方法である。
【００２０】
具体的には、系統電圧を測定、バッファし（Ｓ１）、この測定した電圧がしきい値を超えたかの判定を行う（Ｓ２）。Ｓ２においてしきい値を超えたと判定したきであって、そのしきい値を超えた時間が所定時間経過しているかどうかの判定を行う（Ｓ３）。Ｓ３において、
しきい値を超えた時間が所定時間経過していると判定したとき系統電圧の測定値を直前計測データ格納部２７２に記憶する（Ｓ６）。なお、Ｓ３において、しきい値を超えた時間が所定時間経過していないと判定したとき系統電圧の測定値を捨てる（Ｓ４）と共に終了する（Ｓ５）。
【００２１】
そして、Ｓ６において記憶した電圧値が最大値（ＭＡＸ）又は最小値（ＭＩＮ）が最大値又は最小値以内かどうかを判定する（Ｓ７）。Ｓ７において、記憶した電圧値がいままで記憶した最大値を超えるか又は最小値を超えない場合にはＳ６で記憶した値を更新し（Ｓ８）、再びＳ６に戻る。なお、Ｓ７において、記憶した電圧値がいままで記憶した最大値又は最小値内の場合にはＳ６で記憶した値を出力する（Ｓ９）。
【００２２】
この結果、系統電圧の立ち上がりや立下りの時に、電力系統の遮断器を入切り操作することによっておこる、系統電圧の上下に左右されることなく、また電車の運転手が異常運転を行っても電力系統の最小／最大電圧を計測することができる。
【００２３】
図５は、前述した実施形態とは異なる第２の実施形態を説明するためのブロック図である。すなわち、電力系統１からの高電圧を超える交流電圧を、電鉄用変電所２を介して降圧し、架線に供給する給電システムにおいて、電力系統１の現在の電圧値を求め、これを一時的に保存する電圧検出手段例えば電圧検出部２７１と、電圧検出部２７１で求めた電圧値を任意の時間分格納する直前計測データ格納手段例えば直前計測データ格納部２７２と、電圧検出部２７１で求めた電圧値が、第１のしきい値を超えているかどうかを判定する第１のしきい値判定手段例えばしきい値１判定部２７４と、電圧検出部２７１で求めた電圧値が、第１のしきい値を超え、かつ警報を出す第２のしきい値を超えているかどうかを判定する第２のしきい値判定手段例えばしきい値２判定部２７６と、しきい値１判定部２７４が第１のしきい値が超えていることを判定したとき、またはしきい値２判定部２７６が第２のしきい値が超えていることを判定したときであって、各しきい値を超えている時間が所定時間経過しているかどうかを検出する経過時間検出手段例えば経過時間検出部２７５と、電圧検出部２７１で一時的に保存した電圧値を任意の時間分格納する直前計測データ格納手段例えば直前計測データ格納部２７２と、直前計測データ格納部２７２で格納された電圧値が現在までの最大値又は最小値かどうかが判定される最小電圧／最大電圧検出手段例えば最小電圧／最大電圧検出部２７３と、最小電圧／最大電圧検出部２７３において現在までの最小電圧又は最大電圧と判定された場合には、この電圧値を最小電圧又は最大電圧として出力し、また最小電圧／最大電圧検出部２７３において現在までの最小電圧又は最大電圧と判定されない場合には電圧検出部２７１で検出された電圧値に更新する手段と、最小電圧／最大電圧検出部２５３で検出した電圧の最大値／最小値が第２のしきい値を超えているかどうかを判定し、第２のしきい値を超えている場合に警報を出す警報出力手段例えば警報出力部２７７とを備えたものである。警報出力部２７７としては、例えばデータロガーを使用する。
【００２４】
図７は、図５の動作を説明するためのフローチャートであり、前述の実施形態に系統電圧の測定値が極端に変化した場合に警報を出力するようにした点、具体的にはステップＳ１０、Ｓ１１が追加され、かつステップＳ２が変更されたＳ２Ａとなっている。すなわち、ステップＳ２Ａにおいて電圧検出部２５３で検出した電圧の最大値／最小値が第１のしきい値を超えているかどうかまた第２のしきい値を超えているかどうかを判定する。ステップＳ１０では、Ｓ８で更新した電圧の最大値／最小値がしきい値２を超えたか判定する。ステップＳ１１では、ステップＳ１０で電圧の最大値／最小値がしきい値２を超えたと判定した場合警報（アラーム）を発するようにしたものである。この点以外は、前述の実施形態と同様である。
【００２５】
図５及び図７に示すように構成することにより、系統電圧の異常状態を報知することが可能で、これによりできるだけ早く対策を講じることができ、電車の運行停止時間を短くすることができる。
【図面の簡単な説明】
【００２６】
【図１】本発明の電圧計測装置が適用される電鉄用変電所を含む給電システムを説明するための構成図。
【図２】本発明の電圧計測装置の第１の実施形態を示すブロック図。
【図３】図２のしきい値及び経過時間を含む最大／最小計測範囲を説明するための波形図。
【図４】本発明の電圧計測装置の第１の実施形態の動作を説明するためのフローチャート。
【図５】本発明の電圧計測装置の第２の実施形態を示すブロック図。
【図６】図５のしきい値及び経過時間を含む最大／最小計測範囲を説明するための波形図。
【図７】本発明の電圧計測装置の第２の実施形態の動作を説明するためのフローチャート。
【符号の説明】
【００２７】
１…電力系統、２…電鉄用変電所、３…電車、４…架線、２１…降圧変圧器、２２…一次側遮断器、２３…二次側遮断器、２４、２５…計器用変圧器、２７、２０…電圧計測装置、２８、２９…計器用変流器、２７１…電圧検出部、２７２…直前計測データ格納部、２７３…最大電圧検出部、２７４…しきい値判定部、２７５…経過時間検出部。
【図１】
2010058733.tif 000003
【図２】
2010058733.tif 000004
【図３】
2010058733.tif 000005
【図４】
2010058733.tif 000006
【図５】
2010058733.tif 000007
【図６】
2010058733.tif 000008
【図７】
2010058733.tif 000009